(57)【要約】【課題】情報処理装置に対し複数回の操作を行わなくてもユーザーの利き手を判定し、その利き手に応じて、ユーザーの操作を受け付けるときの態様を変更する。【解決手段】スタイラスペン２によって表示端末１がタッチされると、スタイラスペン２の傾き方向が検出される。検出された傾き方向によって表示端末１はユーザーの利き手を判定し、判定された利き手に応じて、表示端末１のＵＩ設定が制御される。これにより、複数回の操作に拠らず、ユーザーは利き手に応じたＵＩで表示端末１を操作することが可能となる。【選択図】図７
2011081646.tif 000002
【特許請求の範囲】
【請求項１】
画像が表示される表示面と、
前記表示面に重ねられ、ユーザーが操作する操作子によって当該ユーザーの指示が入力
される入力面と、
前記入力面に対して前記操作子が傾いている方向である傾き方向を検出する検出手段と
、
前記検出手段によって検出された傾き方向に応じて、ユーザーが前記操作子を操作する
ときの利き手を判定する判定手段と、
ユーザーの指示を受け付けて当該指示に応じた処理を行う処理手段であって、前記判定
手段により判定されたユーザーの利き手に応じて、ユーザーの操作を受け付けるときの態
様を変更する処理手段と
を備えることを特徴とする情報処理装置。
【請求項２】
前記処理手段は、
ユーザーの指示を受け付けるための画像である指示受付画像を前記表示面に表示し、前
記操作子が当該指示受付画像を指定して前記入力面に入力した指示を受け付け、
前記判定手段により判定されたユーザーの利き手に応じて、前記表示面における前記指
示受付画像の表示位置を変更する
ことを特徴とする請求項１記載の情報処理装置。
【請求項３】
ユーザーの接触動作による指示を受け付ける複数の操作キーを備え、
前記処理手段は、前記判定手段により判定されたユーザーの利き手に応じて、各々の前
記操作キーが受け付ける指示の内容を変更する
ことを特徴とする請求項１記載の情報処理装置。
【請求項４】
前記検出手段は、前記操作子における加速度を計測し、計測した前記加速度に基づいて
前記傾き方向を検出する
ことを特徴とする請求項１から請求項３のいずれか１項に記載の情報処理装置。
【請求項５】
前記検出手段は、
前記操作子の長手方向における相異なる複数の箇所の位置を検出し、検出した複数の位
置に含まれる第１の位置と、当該第１の位置よりも前記入力面から遠い第２の位置との位
置関係に基づいて、前記操作子の傾き方向を特定する
ことを特徴とする請求項１から請求項３のいずれか１項に記載の情報処理装置。
【請求項６】
画像が表示される表示面と、前記表示面に重ねられ、ユーザーが操作する操作子によっ
て当該ユーザーの指示が入力される入力面とを有する情報処理装置における情報処理方法
であって、
前記入力面に対して前記操作子が傾いている方向である傾き方向を検出するステップと
、
検出された前記傾き方向に応じてユーザーの利き手を判定するステップと、
判定されたユーザーの利き手に応じて、ユーザーの操作を受け付けるときの態様を変更
し、当該態様にてユーザーの指示を受け付けて当該指示に応じた処理を行うステップと
を備えることを特徴とする情報処理方法。
【請求項７】
画像が表示される表示面と、前記表示面に重ねられ、ユーザーが操作する操作子によっ
て当該ユーザーの指示が入力される入力面とを有する情報処理装置のコンピューターを、
前記入力面に対して前記操作子が傾いている方向である傾き方向を検出する検出手段と
、
前記検出手段によって検出された傾き方向に応じてユーザーの利き手を判定する判定手
段と、
ユーザーの指示を受け付けて当該指示に応じた処理を行う処理手段であって、前記判定
手段により判定されたユーザーの利き手に応じて、ユーザーの操作を受け付けるときの態
様を変更する処理手段と
して機能させるためのプログラム。
【発明の詳細な説明】
【技術分野】
【０００１】
本発明は、操作子によって入力された指示に応じた処理を行う技術に関する。
【背景技術】
【０００２】
情報処理装置には、ユーザーによって操作されるペン型の操作子から指示が入力される
と、その指示に応じた処理を行うものがある。通常、ユーザーには利き手があり、その利
き手で操作子を持って操作を行うが、このとき、ＧＵＩ（Graphical User Interface）キ
ーのような、画面上に表示される指示受付画像の配置によって操作の快適性が異なってく
る。例えば、画面右端にＧＵＩキーが表示されていて、左利きのユーザーが左手にペンを
持ち、このＧＵＩキーをタッチしようとした場合には、画面右端まで腕を伸ばし、画面の
大部分を腕で覆い隠した状態でタッチする状況となる。このような場合、右利きのユーザ
ーと比較して、多くの距離にわたって腕を伸ばす必要があることや、腕で画面の表示内容
が見えなくなってしまうことになり、不便である。このような状況があるのにも関わらず
、一般的には右利きのユーザーが多いことから、それを前提としてデザインされた情報処
理装置が多い。
【０００３】
例えば、特許文献１には、タッチパネルを有する券売機などの情報処理装置において、
初期画面へのユーザーによる複数回のタッチの分布状況に基づいてユーザーの利き手を判
定し、その利き手に応じた操作画面に変更して表示する技術が開示されている。
【先行技術文献】
【特許文献】
【０００４】
【特許文献１】特開２００６−３３１０９２号公報
【発明の概要】
【発明が解決しようとする課題】
【０００５】
上記のような特許文献１に記載の仕組みでは、初期画面において複数回のタッチが必要
となり、利き手の判定に時間を要する。また、利き手判定を行うまでの初期画面そのもの
は、利き手を考慮したものではないから、ユーザーは、自身の利き手に適したものではな
い初期画面に対して複数回のタッチを行わなければならず、ユーザーにとっての負担感が
大きい。
本発明は、情報処理装置に対する複数回のタッチ分布に依らずにユーザーの利き手を判
定し、その利き手に応じて、ユーザーの操作を受け付けるときの態様を変更することを目
的とする。
【課題を解決するための手段】
【０００６】
上記目的を達成するために本発明に係る情報処理装置は、画像が表示される表示面と、
前記表示面に重ねられ、ユーザーが操作する操作子によって当該ユーザーの指示が入力さ
れる入力面と、前記入力面に対して前記操作子が傾いている方向である傾き方向を検出す
る検出手段と、前記検出手段によって検出された傾き方向に応じて、ユーザーが前記操作
子を操作するときの利き手を判定する判定手段と、ユーザーの指示を受け付けて当該指示
に応じた処理を行う処理手段であって、前記判定手段により判定されたユーザーの利き手
に応じて、ユーザーの操作を受け付けるときの態様を変更する処理手段とを備えることを
特徴とする。
本発明によれば、情報処理装置に対する複数回のタッチ分布に依らずにユーザーの利き
手を判定し、その利き手に応じて、ユーザーの操作を受け付けるときの態様を変更するこ
とが可能となる。
【０００７】
本発明において、前記処理手段は、ユーザーの指示を受け付けるための画像である指示
受付画像を前記表示面に表示し、前記操作子が当該指示受付画像を指定して前記入力面に
入力した指示を受け付け、前記判定手段により判定されたユーザーの利き手に応じて、前
記表示面における前記指示受付画像の表示位置を変更する構成としてもよい。
この構成によれば、表示面におけるユーザーの操作を受け付ける指示受付画像の表示位
置が、判定されたユーザーの利き手に応じたものとなり、ユーザーが情報処理装置を操作
するときの操作性が向上する。
【０００８】
本発明において、ユーザーの接触動作による指示を受け付ける複数の操作キーを備え、
前記処理手段は、前記判定手段により判定されたユーザーの利き手に応じて、各々の前記
操作キーが受け付ける指示の内容を変更する構成としてもよい。
この構成によれば、操作キーが受け付ける指示内容が、判定されたユーザーの利き手に
応じたものとなり、ユーザーが情報処理装置を操作するときの操作性が向上する。
【０００９】
本発明において、前記検出手段は、前記操作子における加速度を計測し、計測した前記
加速度に基づいて前記傾き方向を検出する構成としてもよい。
この構成によれば、ユーザーが操作する操作子における加速度によりその傾き方向を検
出し、その傾き方向からユーザーの利き手を判定し、その利き手に応じて、ユーザーの操
作を受け付けるときの態様を変更することが可能となる。
【００１０】
本発明において、前記検出手段は、前記操作子の長手方向における相異なる複数の箇所
の位置を検出し、検出した複数の位置に含まれる第１の位置と、当該第１の位置よりも前
記入力面から遠い第２の位置との位置関係に基づいて、前記操作子の傾き方向を特定する
構成としてもよい。
この構成によれば、ユーザーが操作する操作子における第１の位置及び第２の位置の関
係によりその傾き方向を検出し、その傾き方向からユーザーの利き手を判定し、その利き
手に応じて、ユーザーの操作を受け付けるときの態様を変更することが可能となる。
なお、本発明は、情報処理装置のほか、情報処理方法およびプログラムとして概念する
ことが可能である。
【図面の簡単な説明】
【００１１】
【図１】第１の実施形態における表示システムの構成を表したブロック図である。
【図２】表示端末におけるタブレットの構成を表した平面図である。
【図３】第１の実施形態における、スタイラスペンの機能構成をあらわしたブロック図である。
【図４】第１の実施形態における、表示端末の表示面と平行な方向から見たときの、スタイラスペン２と表示端末との位置関係を例示する図である。
【図５】親指指示マークがスタイラスペンの握り部分に付加された様子を表した説明図である。
【図６】親指指示マークに親指を合わせてユーザーがスタイラスペンを持った場合の様子を表した説明図である。
【図７】第１の実施形態における、表示システムにおいて実行される処理の手順を表したフロー図である。
【図８】表示端末の外観と、電源投入時の画面表示の様子を表した説明図である。
【図９】ログイン後の画面表示例を表した説明図である。
【図１０】第１の実施形態における、スタイラスペンの傾きを検出する際の、スタイラスペンにおける処理フロー図である。
【図１１】第１の実施形態における、スタイラスペンの傾きを検出する際の、表示端末における処理フロー図である。
【図１２】第２の実施形態における、スタイラスペンの構成を表したブロック図である。
【図１３】第２の実施形態における、スタイラスペンと表示端末との位置関係を例示する図である。
【図１４】第２の実施形態におけるスタイラスペンの傾きを検出する際の処理フロー図である。
【図１５】変形例１における、ペングリップがスタイラスペンの握り部分に付加された様子を表した説明図である。
【図１６】変形例４における、表示端末がユーザーの利き手を判定することができなかった場合の画面表示内容を表したものである。
【発明を実施するための形態】
【００１２】
本発明を実施するための形態を、第１の実施形態と第２の実施形態とに分けて説明する
。
（１）第１の実施形態
図１は、第１の実施形態における表示システム１００の構成を表したブロック図である
。
表示システム１００は、情報処理装置としての表示端末１と、操作子としてのスタイラ
スペン２とを備えている。表示端末１は、ペンタブレット、タブレットＰＣ（Personal C
omputer）、携帯電話機、携帯ゲーム機またはＰＤＡ（Personal Digital Assistants）の
ような、少なくとも情報表示と情報処理を行う装置である。図１では、その一例としてペ
ンタブレットの構成を例示している。この表示端末１は、ＣＰＵ（Central Processing U
nit）１０、ＲＯＭ（Read Only Memory）１１、ＲＡＭ（Random Access Memory）１２、
端末側通信部１３、表示体制御部１４、表示体１４０、タブレット制御部１５、タブレッ
ト１５０、記憶部１６、電源制御部１７、バッテリー１７０及び操作部１８を備える。こ
れらの各構成はバス１９を介して互いに接続されている。
【００１３】
ＲＯＭ１１は、表示端末１に関する制御プログラムを記憶している。ＲＡＭ１２は、Ｃ
ＰＵ１０のワークエリアとして機能する。ＣＰＵ１０は、ＲＯＭ１１に記憶されている制
御プログラムを読み出しＲＡＭ１２にロードし実行することにより、表示端末１を制御し
、例えば通信機能、表示機能或いは情報処理機能などの各種機能を実現する。端末側通信
部１３は、ＣＰＵ１０の制御の下で、例えばＩｒＤＡ（Infrared Data Association）や
ブルートゥース（登録商標）の規格に従って、スタイラスペン２と無線通信を行う。記憶
部１６は、例えばフラッシュメモリーなどの不揮発性の記憶手段であり、画像を表す画像
データなどの各種情報を記憶する。バッテリー１７０は、例えば電池である。電源制御部
１７は、バッテリー１７０から供給された電力を表示端末１に供給する際の制御を司る。
操作部１８は、複数の操作キーを備えており、ユーザーによって押下されると、押下され
たことを検出した信号をＣＰＵ１０に供給する。
【００１４】
表示体１４０は、例えば液晶ディスプレイなどで構成されており、画像が表示される表
示面となる。表示体制御部１４は、ＧＵＩなどの画像をＣＰＵ１０からの命令に応じて表
示体１４０に表示させる。表示体１４０に表示される画像としては、例えばメニューの提
示や選択に関する画像、ユーザーの操作に応じた内容の画像、デジタルデータに応じた文
書や表、図形などの画像などがある。タブレット１５０は、ユーザーがスタイラスペン２
により表示端末１に対して指示を行う際の、その指示が入力される入力面である。タブレ
ット１５０は、表示体１４０の表示面の上に重なるように配置されている。このタブレッ
ト１５０は、表示体１４０によって表示されている画像を透過する。タブレット制御部１
５は、タブレット１５０においてスタイラスペン２が接触した位置を表す位置情報を生成
し、ＣＰＵ１０に供給する。
【００１５】
図２は、表示端末１におけるタブレット１５０の構成を表した平面図である。
図２に示すとおり、タブレット１５０には、スタイラスペン２がタブレット１５０に接
触した箇所の、ｘ軸方向の位置を検出するためにｘ軸方向に延びる複数のｘ軸検出電極１
５０ｘと、ｙ軸方向の位置を検出するためにｙ軸方向に延びる複数のｙ軸検出電極１５０
ｙとが、互いに交差するように配置されている。ここで、ｘ軸方向とは、ユーザーが表示
端末１を予め決められた正面側から見たときの左右方向であり、ｙ軸方向とは、そのｘ軸
方向に直交する方向である。ｘ軸検出電極１５０ｘとｙ軸検出電極１５０ｙが交差する箇
所には、それぞれコイルＬが配置されており、それぞれタブレット１５０の表面に磁界を
形成している。ユーザーがスタイラスペン２をタブレット１５０に近づけると、電磁誘導
の作用によって、スタイラスペン２に備えられたペン先位置検出電極２４（図３参照）に
電流が流れる。この電流によって、スタイラスペン２におけるペン先位置検出電極２４に
磁界が発生して電磁波を出し、タブレット１５０側のコイルＬがこれを検知する。そして
、タブレット制御部１５は、タブレット１５０において最も強度が高い電磁波を検知した
コイルＬのｘ軸方向の位置とｙ軸方向の位置を特定し、それらの座標（Ｘ，Ｙ）をＣＰＵ
１０に供給する。ＣＰＵ１０は、この座標（Ｘ，Ｙ）に応じてユーザーの指示内容を解析
し、その指示に応じた各種の処理を行う。なお、座標（Ｘ，Ｙ）の原点は、タブレット１
５０の４隅のうちのいずれかであり、例えば正面から見たときの左上隅である。
【００１６】
図３は、スタイラスペン２の構成を表したブロック図である。
スタイラスペン２は、タブレット１５０を介して表示端末１に対して指示を行うための
手段であり、ユーザーが手に持ちやすいように、ペンや鉛筆を模した棒状の形をしている
。表示端末１は、ユーザーがこのスタイラスペン２を手に持ったときの、スタイラスペン
２の表示面に対する傾き方向を検出して、ユーザーの利き手を判定する。スタイラスペン
２は、ＣＰＵ２０、ＲＯＭ２１、ＲＡＭ２２、ペン側通信部２３、ペン先位置検出電極２
４、加速度センサー２５、ペン先スイッチ２６、電源制御部２７、及びバッテリー２７０
を備える。これらの各構成はバス２８を介して互いに接続されている。ＲＯＭ２１は、ス
タイラスペン２に関する制御プログラムを記憶している。ＲＡＭ２２は、ＣＰＵ２０のワ
ークエリアとして機能する。ＣＰＵ２０は、ＲＯＭ２１に記憶されている制御プログラム
を読み出してＲＡＭ２２にロードして実行することにより、スタイラスペン２の各構成を
制御する。ペン側通信部２３は、ＣＰＵ２０の制御の下で、ＩｒＤＡ（Infrared Data As
sociation）やブルートゥース（登録商標）の規格に従って、表示端末１に備えられた端
末側通信部１３と無線通信を行う。
【００１７】
ペン先位置検出電極２４は、スタイラスペン２のペン先の近傍に内蔵されたコイルであ
る。このペン先位置検出電極２４は、前述したように、タブレット１５０にスタイラスペ
ン２が触れた際、電磁誘導によりタブレット１５０に電磁波を送出して、ペン先の位置を
知らせるものである。ＣＰＵ１０は、このペン先の位置を検出して、ユーザーの指示の内
容を解析し、その指示に応じた処理を行う。加速度センサー２５は、ＣＰＵ１０がタブレ
ット１５０に対してスタイラスペン２が傾いている方向である傾き方向を検出することを
支援する。ここで、スタイラスペン２が傾いている方向とは、スタイラスペン２の長手方
向（つまりペン軸方向）がタブレット１５０に対して傾いている方向のことである。ユー
ザーがスタイラスペン２を持ちタブレット１５０に対して指示を行った際に、加速度セン
サー２５は、スタイラスペン２に加わった加速度の方向を検出する。加速度センサー２５
による検出値は、ペン側通信部２３によって表示端末１に送信される。
【００１８】
スタイラスペン２の先頭部分には、その先頭方向へ向かって、図示しない弾性体等によ
り付勢力を与えられたペン先が設けられている。ペン先スイッチ２６は、このペン先に連
動した感圧装置である。このペン先スイッチ２６は、対象物と接触して力を受けてペンの
内部側へ押されると、その押された力を検知してオン信号を出力する。つまり、ユーザー
がスタイラスペン２を持ち、そのペン先をタブレット１５０に触れさせると、ペン先スイ
ッチ２６はオン信号を出力し、スタイラスペン２に電源が入る。バッテリー２７０は例え
ば電池である。電源制御部２７は、バッテリー２７０から供給された電力をスタイラスペ
ン２に供給する際の制御を司る。
【００１９】
図４は、表示端末１の表示面と平行な方向から見たときの、スタイラスペン２と表示端
末１との位置関係を例示する図である。この図を参照して、スタイラスペン２の傾き方向
とユーザーの利き手との関係について説明する。
加速度センサー２５は、それぞれ異なる方向の加速度を計測する２つのセンサーを有し
ている。以下、各センサーをセンサーＳｘ、Ｓｙと呼ぶ。図４に示すように、ペン軸方向
から見た場合に、或る方向をｘ軸方向、そのｘ軸方向に直交する方向をｙ軸方向と規定し
、加速度センサーＳｘはｘ軸方向の加速度を計測し、加速度センサーＳｙはｙ軸方向の加
速度を計測する。なお、このｘ軸方向は、タブレット１５０におけるｘ軸方向と概ね一致
し、ｙ軸方向は、タブレット１５０におけるｙ軸方向と概ね一致するような工夫がなされ
ているが、これについては後述する。図４においては、ユーザーがペンクリップ３０の位
置を常に手前側にした状態で、スタイラスペン２を持つ場合を想定している。また、表示
端末１の入力面であるタブレット１５０が水平となる場所に表示端末１は置かれているも
のとする。
【００２０】
各センサーＳｘ、Ｓｙは、各々のサンプリング時刻において、図４に示したｘ軸、ｙ軸
についての正の向きおよび負の向きの加速度を計測し、その検出値（ａｘ、ａｙ）を出力
する。ａｘは、ｘ軸方向の加速度であり、ａｙは、ｙ軸方向の加速度である。図４におい
て、スタイラスペン２の軸方向が、（ａ）の状態のように、タブレット１５０に対して垂
直である場合には、加速度センサー２５の検出値は、ａｘ＝０、ａｙ＝０となる。これに
対し、ユーザーが右手でスタイラスペン２を持ってタブレット１５０にタッチしようとし
た場合、スタイラスペン２の軸方向は、（ｂ）の状態のように、タブレット１５０に対し
て、ｘ軸の正方向へ傾いた状態となる。このとき、スタイラスペン２はユーザの操作に応
じて（ａ）の状態から（ｂ）の状態へと遷移するように動くので、加速度センサー２５の
検出値ａｘとして、正の値である「＋ｘＲ」が検出される。一方、ユーザーが左手でスタ
イラスペン２を持った場合には、スタイラスペン２の軸方向はタブレット１５０に対して
ｘ軸の負方向へ傾いた状態となり、加速度センサー２５の検出値ａｘとして、負の値であ
る「−ｘＬ」が検出される。
【００２１】
前述したように、加速度センサー２５の検出値は、ペン側通信部２３を通じて表示端末
１に送信される。表示端末１は、端末側通信部１３によって加速度センサー２５の検出値
を受信する。表示端末１におけるＣＰＵ１０は、検出値ａｘが正の閾値を超える場合には
、スタイラスペン２の傾き方向が右側であると検出し、ユーザーを右利きと判定する。一
方、ＣＰＵ１０は、検出値ａｘが負の閾値を超える場合にはスタイラスペン２の傾き方向
が左側であると検出し、ユーザーを左利きと判定する。この閾値を適切に設定すれば、ユ
ーザの手の動きに連動したスタイラスペン２の微妙な揺れによる加速度の影響を除外し、
利き手の判定に寄与する加速度をうまく抽出することが可能である。このように、表示端
末１は、スタイラスペン２における加速度センサー２５による検出値が、正負のそれぞれ
の閾値を超えるか否かに基づいて、スタイラスペン２の傾き方向を検出し、さらにユーザ
ーの利き手を判定する。つまり、ＣＰＵ１０は、タブレット１５０に対してスタイラスペ
ン２が傾いている方向である傾き方向を検出する検出手段として機能するとともに、スタ
イラスペン２の傾き方向に応じて、ユーザーがスタイラスペン２を操作するときの利き手
を判定する判定手段として機能する。
【００２２】
ただし、この方法で利き手を判定するためには、加速度センサー２５について規定され
たｘ軸方向及びｙ軸方向が、タブレット１５０におけるｘ軸方向及びｙ軸方向と概ね一致
していなければならない。図４では、ユーザーがペンクリップ３０の位置を常に手前側に
した状態で、スタイラスペン２を持つ場合を想定していた。しかし実際には、ユーザーが
、ペンクリップ３０の位置を常に手前側にした状態で、スタイラスペン２を持つとは限ら
ず、例えば、ペンクリップ３０の位置をユーザーから見て奥側にした状態でスタイラスペ
ン２を持つ場合もある。このとき、スタイラスペン２におけるｘ軸、ｙ軸と、加速度セン
サー２５において規定されたｘ軸、ｙ軸の正負方向が逆になり、左右の利き手が逆に判定
されてしまう。そのため、スタイラスペン２の握りを誘導する工夫を設ける。
【００２３】
図５は、スタイラスペン２の握りを誘導する工夫の一例として、親指位置を決めるため
の親指指示マーク３１が、スタイラスペン２の握り部分に付加された様子を表した説明図
である。また、図６は、親指指示マーク３１に親指を合わせて、ユーザーがスタイラスペ
ン２を持った場合の様子を表した説明図であり、図６（ａ）は左手でスタイラスペン２を
持った場合であり、図６（ｂ）は右手でスタイラスペン２を持った場合を表している。こ
のように、ユーザーは、この親指指示マーク３１に親指をのせるようにしてスタイラスペ
ン２を持つ。このようにすると、ユーザーから見たときのスタイラスペン２におけるペン
クリップ３０の向きがユーザーから見て手前側に固定され、スタイラスペン２の向きも固
定される。これにより、加速度センサー２５におけるｘ軸方向及びｙ軸方向が、タブレッ
ト１５０におけるｘ軸方向及びｙ軸方向と、概ね一致することとなり、利き手の判定を誤
ることがない。
【００２４】
次に、スタイラスペン２によって表示端末１がタッチされた際の動作について説明する
。
図７は、表示システム１００において実行される処理の手順を表したフロー図である。
表示端末１に電源が投入されると、表示端末１のＣＰＵ１０は、表示体１４０にログイ
ン画面を表示させる（ステップＳ１）。
【００２５】
ここで、図８は、表示端末１の外観と、電源投入時の画面表示の例を表した図である。
表示端末１には、ユーザーの利き手によって使い分けられるように、左右で同じ機能が
割り当てられた操作キーが、左右にそれぞれ１つずつ配置されている。より具体的には、
表示端末１の左側に左側操作キー４０が配置され、表示端末１の右側に右側操作キー４１
が配置されている。これらの操作キーは、前述した操作部１８を構成するものである。表
示端末１に電源が投入されると、表示端末１の画面上に、ログインユーザーを選択する指
示を受け付けるための画像である指示受付画像Ｇ１，Ｇ２（以下、ＧＵＩ部品Ｇ１，Ｇ２
という）が表示される。
【００２６】
図７の説明に戻り、ＣＰＵ１０は、スタイラスペン２によりタブレット１５０がタッチ
されるのを待つ（ステップＳ２）。ステップＳ２においてＣＰＵ１０が待っているタッチ
の内容は、ユーザーが利き手に持ったスタイラスペン２で、選択したログインユーザーの
ＧＵＩ部品Ｇ１、Ｇ２のいずれかをタッチすることである。例えば、ユーザーは、利き手
に持ったスタイラスペン２で、図８に示したＧＵＩ部品Ｇ１かをタッチしたとする。この
ＧＵＩ部品Ｇ１にスタイラスペン２がタッチされた際に、スタイラスペン２は、加速度セ
ンサー２５により加速度を計測する。その検出値は表示端末１に送信され、表示端末１に
おけるＣＰＵ１０は、その検出値からスタイラスペン２の傾き方向を検出する（ステップ
Ｓ３）。ステップＳ３におけるスタイラスペン２の傾き方向を検出するための処理フロー
については後で詳述する。
【００２７】
表示端末１のＣＰＵ１０は、検出されたスタイラスペン２の傾き方向により、ユーザー
の利き手を判定する（ステップＳ４）。ＣＰＵ１０は、ＲＯＭ１１に格納されたプログラ
ムに従って、検出されたスタイラスペン２の傾き方向によりユーザーの利き手を判定する
判定手段として機能する。ステップＳ４で、ユーザーの利き手が左右どちらに判定された
かによって、ログイン以降におけるＵＩ（User Interface）の制御が行われる。ここで、
ＵＩとは、ユーザーによる操作を受け付ける手段であり、画面に表示されるＧＵＩ部品と
、表示端末１が具備する操作キー４０，４１との双方を指している。そして、ＵＩの制御
とは、ＧＵＩ部品の配置および操作キー４０，４１が、ユーザーの利き手に応じた態様に
変更されることを意味する。より具体的には、ＣＰＵ１０は、ユーザーの利き手が右利き
であると判定した場合、ＵＩを右利き用に設定し（ステップＳ５）。また、ユーザーの利
き手が左利きであると判定した場合、ＵＩを左利き用に設定する（ステップＳ６）。そし
て、ＣＰＵ１０は、設定されたＵＩで画面表示および操作キーの制御を行う（ステップＳ
７）。以降、ＣＰＵ１０は、このＵＩにてユーザーの指示を受け付け、その指示に応じた
処理、例えば、各種画像の表示や編集、或いは画像の切換などを行う。
【００２８】
ここで、図９は、ログイン後の画面表示例を表した図であり、図９（ａ）は、ユーザー
が右利きと判定された場合の画面表示例を表し、図９（ｂ）は、ユーザーが左利きと判定
された場合の画面表示例を表している。
図９（ａ）に示すように、ユーザーが右利きと判定された場合、ＧＵＩ部品であるスク
ロールバー４５は、ユーザーから見て利き手と同じ側、すなわちスタイラスペン２を持つ
手の側である右側に配置される。また、表示端末１に備えられた右側操作キー４１が無効
化され、ユーザーがこの右側操作キー４１を押下しても、ＣＰＵ１０は右側操作キー４１
からの信号を無視し、この押下操作に応答する処理を行わない。ユーザーが右利きである
ということは、ユーザーの右手にはスタイラスペン２が握られており、この右手に近い右
側操作キー４１を操作する可能性は小さく、空いている左手により左側操作キー４０を操
作する可能性が高いからである。一方、ユーザーが左利きと判定された場合には、ＧＵＩ
キーの配置および操作キーの制御は、右利きの場合とは逆になる。具体的には図９（ｂ）
に示すように、ＧＵＩ部品であるスクロールバー４５は、ユーザーから見て利き手と同じ
側、すなわちスタイラスペン２を持つ手の側である左側に配置される。また、表示端末１
に備えられた左側操作キー４０が無効化される。
【００２９】
このように、ＣＰＵ１０は、ユーザーの指示を受け付けるための指示受付画像であるＧ
ＵＩ部品の表示に関して、ＧＵＩ部品を表示体１４０に表示し、スタイラスペン２がその
ＧＵＩ部品を指定してタブレット１５０に入力した指示を受け付けるが、このとき、判定
されたユーザーの利き手に応じて、ＧＵＩ部品の表示位置を変更する。また、ＣＰＵ１０
は、ユーザーの接触動作による指示を受け付ける複数の操作キー４０，４１の制御に関し
て、判定されたユーザーの利き手に応じて、各々の操作キーが受け付けるべき指示の内容
を変更する。即ち、ＣＰＵ１０は、ユーザーの指示を受け付けて当該指示に応じた処理を
行う処理手段であって、ユーザーの利き手に応じて、ユーザーの操作を受け付けるときの
態様を変更する処理手段として機能する。
【００３０】
次に、図７で説明したスタイラスペンの傾き方向検出（ステップＳ３）の詳細について
、図１０および図１１を用いて説明する。
図１０は、スタイラスペン２の傾きを検出する際の、スタイラスペン２における処理を
表すフロー図である。
ユーザーがスタイラスペン２によりタブレット１５０に接触した際に、スタイラスペン
２におけるペン先スイッチ２６によりスタイラスペン２の電源がＯＮの状態になる（ステ
ップＳ１０）。次に、加速度センサー２５は、加速度を検出する（ステップＳ１１）。そ
の検出値は、ペン側通信部２３より表示端末１に送信される（ステップＳ１２）。
【００３１】
図１１は、スタイラスペン２の傾きを検出する際の、表示端末１における処理を表すフ
ロー図である。
表示端末１のＣＰＵ１０は、スタイラスペン２のペン側通信部２３より送信された上記
検出値を端末側通信部１３により受信する（ステップＳ１５）。次に、ＣＰＵ１０は、受
信した検出値に含まれているａｘが正か負かを判断する（ステップＳ１６）。例えばａｘ
が正の値である場合、ＣＰＵ１０は、スタイラスペン２の傾き方向を右方向と判定し（ス
テップＳ１７）、ａｘが負の値である場合、ＣＰＵ１０は、スタイラスペン２の傾き方向
を左方向と判定する（ステップＳ１８）。
【００３２】
このように、第１実施形態によれば、ユーザーが表示端末１の操作を開始する最初のペ
ンタッチでスタイラスペン２の傾き方向が検出され、検出されたスタイラスペン２の傾き
方向によりユーザーの利き手が判定される。そして、判定されたユーザーの利き手に応じ
て、表示端末１のＵＩが制御される。こうした一連の制御により、ユーザーは自らの利き
手に応じたＵＩ設定で表示端末１を操作することが可能となる。また、この第１実施形態
によれば、ユーザーが自らの利き手に応じたＵＩ設定で表示端末１を操作するために要す
るペンタッチは最低１回でよいため、利き手に応じないＵＩ設定で表示端末１を操作する
回数を削減することができる。このように、第１実施形態によれば、ユーザーが利き手に
応じないＵＩで表示端末１を操作するときにそのユーザーの手によって画面が隠れてしま
うという不便さもなく、ユーザーが表示端末１を操作する際の利便性および操作性が増す
という効果を奏することができる。
【００３３】
次に、第２の実施形態について説明する。
（２）第２の実施形態
第２の実施形態は、第１の実施形態と比較して、スタイラスペンの傾き方向を検出する
手法が異なる。第２の実施形態では、表示端末１の構成については第１の実施形態と同様
であるため、表示端末１の構成についての説明は省略する。
図１２は、第２の実施形態におけるスタイラスペン２ａの構成を表したブロック図であ
る。図１２におけるＣＰＵ２０、ＲＯＭ２１、ＲＡＭ２２、ペン側通信部２３、ペン先ス
イッチ２６、電源制御部２７、バッテリー２７０及びバス２８に関しては、第１の実施形
態と同様のため詳細な説明は省略する。スタイラスペン２ａは、前記操作子の長手方向に
おける相異なる複数の箇所の位置をペン先位置検出電極２４とペン中央位置検出電極５０
とを備える。ペン先位置検出電極２４がスタイラスペン２ａのペン先近傍に、ペン中央位
置検出電極５０がスタイラスペン２ａの長手方向のほぼ中央の位置にそれぞれ配置される
。つまり、ペン先位置検出電極２４は、スタイラスペン２ａが有する長手方向においてタ
ブレット１５０と接する一方の側に配置されている。また、ペン中央位置検出電極５０は
、スタイラスペン２ａが有する長手方向において、ペン先位置検出電極２４の位置から見
て他方の側に配置されている。つまり、ペン中央位置検出電極５０が配置されている第２
の位置は、ペン先位置検出電極２４が配置されている第１の位置よりも、入力面であるタ
ブレット１５０から遠い位置にある。これらは、ＣＰＵ１０が、タブレット１５０に対す
るスタイラスペン２ａの傾き方向を検出することを支援するための構成である。
【００３４】
図１３は、スタイラスペン２と表示端末との位置関係を例示する図である。
ここで、表示端末１は、入力面であるタブレット１５０が水平となる場所に置かれてい
るものとする。図１３（ａ）は、スタイラスペン２ａがタブレット１５０にタッチした様
子をタブレット１５０の面に平行な方向から表したものである。図１３（ｂ）は、スタイ
ラスペン２ａがタブレット１５０にタッチした様子をタブレットの面に垂直な方向から表
したものである。ユーザーが左右どちらかの手でスタイラスペン２ａを持ち、スタイラス
ペン２ａによりタブレット１５０をタッチした際に、ペン先位置検出電極２４およびペン
中央位置検出電極５０から得られる座標が特定される。より具体的には、タブレット１５
０に配置されたコイルLによりタブレット１５０の表面に磁界が形成されており、スタイ
ラスペン２ａによりタブレット１５０がタッチされた際に、コイルLよりペン先位置検出
電極２４およびペン中央位置検出電極５０に電流が流れる。この電流に応じて、ペン先位
置検出電極２４およびペン中央位置検出電極５０に磁界が発生し、ペン先位置検出電極２
４およびペン中央位置検出電極５０からタブレット１５０（におけるコイルL）に電磁波
を出す。表示端末１は、この電磁波に反応したコイルＬの位置を検出することで、ペン先
位置検出電極２４およびペン中央位置検出電極５０からそれぞれタブレット１５０に下ろ
した垂線がそのタブレットと交わる位置の座標（以下、指示座標という）を得る。
【００３５】
ここで、ペン先位置検出電極２４から得られる指示座標をＰ１、ペン中央位置検出電極
５０から得られる指示座標をＰ２とする。タブレット１５０の左上隅がｘ軸、ｙ軸の原点
である。例えば右手でスタイラスペン２ａを持ちタブレット１５０にタッチした場合、図
１３（ｂ）に示すとおり、指示座標Ｐ１のｘ座標と指示座標Ｐ２のｘ座標との位置関係は
、Ｐ２＞Ｐ１の関係が成り立つ。一方、左手にスタイラスペン２ａを持った場合には、Ｐ
１＞Ｐ２の関係となる。このように、二つのペン先位置検出電極２４およびペン中央位置
検出電極５０の指示座標、特にｘ座標の大小関係によりスタイラスペン２ａの傾き方向が
検出され、ユーザーの利き手が判定される。
【００３６】
図１４は、第２の実施形態におけるスタイラスペンの傾きを検出する際の処理フロー図
である。
図１４における処理の主体は表示端末１のＣＰＵ１０である。ユーザーがスタイラスペ
ン２ａにより表示端末１の入力面であるタブレット１５０に触れると、ＣＰＵ１０は、ペ
ン先位置検出電極２４の指示座標Ｐ１を取得する（ステップＳ２０）。次に、ＣＰＵ１０
は、ペン中央位置検出電極５０の指示座標Ｐ２を取得する（ステップＳ２１）。次に、Ｃ
ＰＵ１０は、Ｐ１とＰ２との大小関係を判定する（ステップＳ２２）。Ｐ１＜Ｐ２の場合
、ＣＰＵ１０は、スタイラスペン２ａの傾き方向を右方向と判定する（ステップＳ２３）
。一方、検出座標の相対関係がＰ１＞Ｐ２の場合、ＣＰＵ１０は、スタイラスペン２の傾
き方向を左方向と判定する（ステップＳ２４）。傾き検出後の処理フローについては第１
の実施形態と同様であり、検出された傾き方向によって表示端末１におけるＵＩの制御が
行われる。このように、第２の実施形態によっても、第１の実施形態と同様の効果を奏す
ることが出来る。
【００３７】
上記の実施形態を次のように変形してもよい。
（３）変形例
（３−１）変形例１
第１の実施形態においては、スタイラスペン２の向きを固定するためにユーザーがスタ
イラスペン２を持つときの持ち方を案内する手段として、親指指示マーク３１を使用した
。スタイラスペン２の向きを固定するための方法はこれに限らず、例えば、スタイラスペ
ン２をユーザーの手の形に応じた形状にすることで、ユーザーがスタイラスペン２を持つ
方向を案内するようにしてもよい。
図１５は、ユーザーの手の形状に合わせたペングリップ６０がスタイラスペン２に設け
られた様子を表した説明図である。ユーザーがペングリップ６０に合わせてスタイラスペ
ン２を持つことにより、スタイラスペン２の向きが固定される。これにより、スタイラス
ペン２に内臓された加速度センサー２５における軸方向が固定される。
なお、ユーザーが手に持って操作する操作子は、スタイラスペン２のようなペンや鉛筆
を模した棒状の形状に限らず、ユーザーが手に持って操作を行うことが可能であり且つ長
手方向を有するものであればよい。そして、タブレット１５０のような入力面に対して操
作子が傾いている方向とは、その操作子の長手方向が入力面であるタブレット１５０に対
して傾いている方向であればよい。
【００３８】
（３−２）変形例２
タブレット１５０に対するスタイラスペン２の傾き方向を検出するための具体的手法は
、第１及び第２の実施形態で説明した例に限定されない。
第１の実施形態においては、表示端末１の入力面であるタブレット１５０が水平となる
場所に表示端末１が置かれていることを前提としたが、入力面であるタブレット１５０が
水平とならない場所に表示端末１が置かれた場合にも、傾き方向が正常に検出できるよう
に、次のようにしてもよい。すなわち、表示端末１にも前述した加速度センサー２５のよ
うな加速度センサーを内臓しておき、これらの各加速度センサーが、スタイラスペン２に
おける加速度と、表示端末１における加速度とをそれぞれ検出する。そして、ＣＰＵ１０
は、スタイラスペン２における加速度と表示端末１における加速度との差分を算出するこ
とにより、入力面に対するスタイラスペン２の傾き方向を検出する。
また、第２の実施形態において、スタイラスペン２に備えられた２つの位置検出電極の
配置をペン先とペン中央としたが、この配置構成は上記に限ったものではなく、２つの位
置検出電極がスタイラスペン２の長手方向において相異なる位置に配置されていればよい
。例えば位置検出電極の一方をペン先に設け、他方をペン中央位置よりもペン先に寄った
箇所に設けてもよい。また、位置検出電極の一方をペン先に設け、他方をペン中央位置よ
りペン先から離れた箇所に設けてもよい。
ただし、２つの位置検出電極の配置には一定の制限がある。スタイラスペン２の長手方
向において、各位置検出電極がペン先から遠く配置されるに従って、ユーザーがスタイラ
スペン２を持ってタブレット１５０に接した際に、上記各位置検出電極からタブレット１
５０までの距離が長くなる。この距離が、タブレット１５０におけるコイルＬと上記各位
置検出電極とにおける電磁誘導を発生するために必要な距離の上限値を越えると、電磁誘
導が発生せず、従って２つの位置検出電極から傾き方向を検出することができない。以上
のことから、２つの位置検出電極がスタイラスペン２の長手方向において異なる位置に配
置され、且つ、各位置検出電極の位置が、タブレット１５０との間で電磁誘導現象が発生
する程度の配置となっていればよい。
また、位置検出電極の数は１つに限定されず、複数であればよい。
【００３９】
（３−３）変形例３
第１及び第２の実施形態において、スタイラスペン２の傾き方向を検出し、検出された
傾き方向によりユーザーの利き手を判定するタイミングは、表示端末１に電源が投入され
た後における最初の１回目のペンタッチとしたが、上記タイミングはこれに限ったもので
はない。最初の１回目のペンタッチ以降、一定のタイミングで、検出されたスタイラスペ
ン２の傾き方向からユーザーの利き手を判定してもよいし、常時、ユーザーの利き手を判
定し続けるようにしてもよい。これにより、例えば右利きのユーザーが表示端末１を右利
きのＵＩで操作していたところに、左利きの別のユーザーが交代して表示端末１を操作し
た場合、操作を交代した左利きの別のユーザーは自らの利き手に応じたＵＩで表示端末１
を操作することができる。
【００４０】
（３−４）変形例４
第１及び第２の実施形態では、スタイラスペン２の傾き方向からユーザーの利き手が判
定される一連の処理が正常に行われた場合を前提としているが、傾き方向を検出する際の
加速度または指示座標が、右利きと左利きを判定するための境界領域に属しており、ユー
ザーの利き手を判定することができなかった場合に備え、次のようにしてもよい。すなわ
ち、ユーザーが利き手で持ったスタイラスペン２によりタブレット１５０をタッチした際
に、表示端末１がユーザーの利き手を判定することができなかった場合、画面上に利き手
が判定できなかった旨のメッセージを表示するとともに、右利きと左利きを選択させるた
めのＧＵＩ部品を表示してもよい。図１６は、表示端末１がユーザーの利き手を判定する
ことができなかった場合の画面表示内容を表したものである。ユーザーに選択されたＧＵ
Ｉ部品の内容に応じて、表示端末１はＵＩ設定を制御する。
【００４１】
（３−５）変形例５
第１及び第２の実施形態では、スタイラスペン２におけるスイッチのＯＮ／ＯＦＦ管理
にペン先スイッチ２６を採用したが、これに替えて電源キーをスタイラスペン２に設けて
もよい。この場合、電源キーは、スタイラスペン２の長手方向においてどこに配置しても
よい。
【００４２】
（３−６）変形例６
ＵＩ制御の内容は、第１及び第２の実施形態で説明した例に限定されず、ユーザの操作
を受け付けるときの態様を変更するものであればよい。例えば、ＧＵＩ部品のＵＩ制御は
、表示体１４０面におけるＧＵＩ部品の表示位置を利き手に応じた位置に変更するもので
あればよい。また、操作キー４０，４１のＵＩ制御は、操作キー４０，４１の有効及び無
効を変更するものに限らず、操作キー４０，４１が受け付ける指示の内容を変更するもの
であればよい。例えば、利き手が右の場合には、頻繁に利用するような機能の指示を右側
の操作キー４１が担当し、頻繁に利用しない機能の指示を左側の操作キー４０が担当する
といった具合である。
【符号の説明】
【００４３】
１…表示端末、２…スタイラスペン、１０，２０…ＣＰＵ，２１…ROM、１２，２２…R
AM、１３…端末側通信部、１４…表示体制御部、１４０…表示体、１５…タブレット制御
部、１５０…タブレット、１５０ｘ…ｘ軸検出電極、１５０ｙ…ｙ軸検出電極、１６…記
憶部、１７，２７…電源制御部、１７０，２７０…バッテリー、１８…操作部，１９，２
８…バス、２３…ペン側通信部、２４…ペン先位置検出電極、２５…加速度センサー、２
６…ペン先スイッチ、３０…ペンクリップ、３１…親指指示マーク、４０…左側操作キー
、４１…右側操作キー、４５…スクロールバー、５０…ペン中央位置検出電極、６０…ペ
ングリップ、Ｌ…コイル
【図１】
2011081646.tif 000003
【図２】
2011081646.tif 000004
【図３】
2011081646.tif 000005
【図４】
2011081646.tif 000006
【図５】
2011081646.tif 000007
【図６】
2011081646.tif 000008
【図７】
2011081646.tif 000009
【図８】
2011081646.tif 000010
【図９】
2011081646.tif 000011
【図１０】
2011081646.tif 000012
【図１１】
2011081646.tif 000013
【図１２】
2011081646.tif 000014
【図１３】
2011081646.tif 000015
【図１４】
2011081646.tif 000016
【図１５】
2011081646.tif 000017
【図１６】
2011081646.tif 000018